(57)【要約】【課題】複数のスイッチの配置を変更することのできる入力装置において、押釦スイッチとシーソースイッチを混在させることのできる入力装置を提供する。【解決手段】基板１上に実装された複数の検出スイッチ２と、それに対応したノブを備え、ノブはシーソーノブ５と押釦ノブ６を混在させ、検出スイッチ２の各組は独立して接点の切換を行うことができる複数の駆動ピン３を基板１上の２つの領域にそれぞれ有し、ノブは所定のピンパターンを同時に操作する駆動部７を有し、シーソーノブ５の駆動部７は一方の領域の駆動ピン３から選択したピンパターンと、他方の領域の駆動ピン３から選択したピンパターンとを選択的に操作し、押釦ノブ６の駆動部７は２つの領域に配置された駆動ピン３から選択したピンパターンを操作し、シーソーノブ５が選択的に操作する各２つのピンパターンと押釦ノブ６が操作する各ピンパターンとは全て異なるパターンからなる。【選択図】  図１
2004327276.tif 000002
【特許請求の範囲】
【請求項１】
基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンを上記基板上の２つの領域にそれぞれ有し、上記ノブは上記駆動ピンの１つまたは複数からなるピンパターンを同時に操作する駆動部を有し、
上記シーソーノブの駆動部は上記基板上の２つの領域のうち一方に配置された駆動ピンから選択したピンパターンと、他方に配置された駆動ピンから選択したピンパターンとを選択的に操作し、上記押釦ノブの駆動部は上記基板上の２つの領域に配置された駆動ピンから選択したピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴とする入力装置。
【請求項２】
基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンをそれぞれ有し、該駆動ピンは上記基板上の第１の領域と第２の領域にそれぞれ複数配置されると共に、上記基板上の第３の領域に配置され、上記ノブは上記駆動ピンの１つまたは複数からなるピンパターンを同時に操作する駆動部を有し、
上記シーソーノブの駆動部は上記第１の領域に配置された駆動ピンから選択したピンパターンと、上記第２の領域に配置された駆動ピンから選択したピンパターンとを選択的に操作し、上記押釦ノブの駆動部は上記第１の領域と第２の領域に配置された駆動ピンから選択し、かつ上記第３の領域に配置された駆動ピンを含むピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴とする入力装置。
【請求項３】
基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンをそれぞれ有し、該駆動ピンは上記基板上の第１の領域と第２の領域にそれぞれ複数配置されると共に、上記基板上の第３の領域に配置され、上記ノブは上記駆動ピンの１つまたは複数からなるピンパターンを同時に操作する駆動部を有し、
上記シーソーノブの駆動部は上記第１の領域に配置された駆動ピンから選択し、かつ上記第３の領域に配置された駆動ピンを含むピンパターンと、上記第２の領域に配置された駆動ピンから選択し、かつ上記第３の領域に配置された駆動ピンを含むピンパターンとを選択的に操作し、上記押釦ノブの駆動部は上記第１の領域と第２の領域に配置された駆動ピンから選択したピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴とする入力装置。
【請求項４】
上記駆動部は上記ノブの下面に突部を形成してなり、該突部は上記各ノブに割当てられたピンパターンに略適合する配置としたことを特徴とする請求項１〜３のいずれか１項に記載の入力装置。
【請求項５】
上記検出スイッチの各組に対応して配設された複数のノブはそれぞれ着脱自在でかつ相互に交換可能であることを特徴とする請求項１〜４のいずれか１項に記載の入力装置。
【発明の詳細な説明】
【０００１】
【発明の属する技術分野】
本発明は、各種の制御内容を指示する複数のスイッチを備えた入力装置に関し、特に押釦スイッチとシーソースイッチとを混在させても各スイッチの種別を自動的に判別できる入力装置に関する。
【０００２】
【従来の技術】
従来、複数のスイッチを配置した入力装置が用いられている。このような入力装置の例としては、自動車のインストルメントパネルに配置された各種スイッチがある。このスイッチは、例えば自動車室内の空調のオンオフや温度設定等のコントロールに用いられる。また、最近では自動車のオプション装備のコントロールにもこのようなスイッチが用いられることもある。これらのスイッチは、特定の機能を指示するものが、車種やグレードの違いによって、必ずしも同じ配置にされるとは限らない。すなわち各スイッチの配置は、ヘッドライト光軸調整、フォグランプ点灯制御、トランクの開閉その他の様々なオプション装備のうち、どれを装備しているかにより、またユーザが使いやすいように配置を変更することを希望する場合もある。
【０００３】
このため、従来から種類の異なる複数のスイッチを入れ替え可能とした入力装置が提案されている。このような入力装置としては、特許文献１〜３に示すように、基板上にそれぞれ独立して接点の切換を行うことのできる複数の駆動ピンを有する複数組のスイッチを設け、各スイッチに装着されるキートップの形状がそれぞれ異なり、キートップ毎に異なる駆動ピンの組合せを駆動できるようにして、それぞれのスイッチから異なる認識信号が出力されるようにしたものがある。このようにすることで、キートップをカセット式に交換するだけで、各キートップの機能に対応した動作を行わせることができる。
【０００４】
【特許文献１】
特開平１０−３３４７６５号公報
【特許文献２】
特開２００１−２３６８４９号公報
【特許文献３】
特開平１０−２６９００２号公報
【０００５】
【発明が解決しようとする課題】
しかし、上述した従来の入力装置においては、押釦スイッチのみを対象としていた。自動車のスイッチには、押釦スイッチばかりではなく、２つの制御指示を選択的に行うことのできるシーソースイッチも用いられる。従来の入力装置は、１つのスイッチからは１つの制御指示が行われることを前提にしていたため、そのままではシーソースイッチを組込むことはできない。
【０００６】
本発明は、上記課題を解決すべくなされたものであり、複数のスイッチの配置を変更することのできる入力装置において、押釦スイッチとシーソースイッチを混在させることのできる入力装置を提供することを目的とする。
【０００７】
【課題を解決するための手段】
上記課題を解決するため、本発明に係る入力装置は、基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンを上記基板上の２つの領域にそれぞれ有し、上記ノブは上記駆動ピンの１つまたは複数からなるピンパターンを同時に操作する駆動部を有し、
上記シーソーノブの駆動部は上記基板上の２つの領域のうち一方に配置された駆動ピンから選択したピンパターンと、他方に配置された駆動ピンから選択したピンパターンとを選択的に操作し、上記押釦ノブの駆動部は上記基板上の２つの領域に配置された駆動ピンから選択したピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴として構成されている。
【０００８】
また、本発明に係る入力装置は、基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンをそれぞれ有し、該駆動ピンは上記基板上の第１の領域と第２の領域にそれぞれ複数配置されると共に、上記基板上の第３の領域に配置され、上記ノブは上記駆動ピンの１つまたは複数からなるピンパターンを同時に操作する駆動部を有し、
上記シーソーノブの駆動部は上記第１の領域に配置された駆動ピンから選択したピンパターンと、上記第２の領域に配置された駆動ピンから選択したピンパターンとを選択的に操作し、上記押釦ノブの駆動部は上記第１の領域と第２の領域に配置された駆動ピンから選択し、かつ上記第３の領域に配置された駆動ピンを含むピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴として構成されている。
【０００９】
さらに、本発明に係る入力装置は、基板上に実装された複数組の検出スイッチと、これら検出スイッチの各組に対応して配設された複数のノブを備え、該複数のノブはシーソーノブと押釦ノブを混在させてなる入力装置であって、
上記検出スイッチの各組は独立して接点の切換を行うことができる複数の駆動ピンをそれぞれ有し、該駆動ピンは上記基板上の第１の領域と第２の領域にそれぞれ複数配置されると共に、上記基板上の第３の領域に配置され、上記ノブは上記駆動ピンの１つまたは複数からなるピンパターンを同時に操作する駆動部を有し、
上記シーソーノブの駆動部は上記第１の領域に配置された駆動ピンから選択し、かつ上記第３の領域に配置された駆動ピンを含むピンパターンと、上記第２の領域に配置された駆動ピンから選択し、かつ上記第３の領域に配置された駆動ピンを含むピンパターンとを選択的に操作し、上記押釦ノブの駆動部は上記第１の領域と第２の領域に配置された駆動ピンから選択したピンパターンを操作し、
上記シーソーノブが選択的に操作する各２つのピンパターンと上記押釦ノブが操作する各ピンパターンとは全て異なるパターンからなり、上記検出スイッチの各組からそれぞれ異なる認識信号を出力することを特徴として構成されている。
【００１０】
さらにまた、本発明に係る入力装置は、上記駆動部は上記ノブの下面に突部を形成してなり、該突部は上記各ノブに割当てられたピンパターンに略適合する配置としたことを特徴として構成されている。
【００１１】
そして、本発明に係る入力装置は、上記検出スイッチの各組に対応して配設された複数のノブはそれぞれ着脱自在でかつ相互に交換可能であることを特徴として構成されている。
【００１２】
【発明の実施の形態】
本発明の実施形態について、図面に沿って詳細に説明する。図１は本実施形態における入力装置を概念的に示した模式図である。この図に示すように、本発明に係る入力装置は、基板１上に実装され、ハウジング４に囲まれた複数の検出スイッチ２に対して、それぞれシーソーノブ５または押釦ノブ６が設けられてなるものである。本実施形態では、２つのシーソーノブ５ａ、５ｂと、２つの押釦ノブ６ａ、６ｂをそれぞれ設けている。各検出スイッチ２には、複数の駆動ピン３が設けられ、シーソーノブ５または押釦ノブ６は、その下面に設けられた駆動部７によって所定の駆動ピン３を操作する。本実施形態では、４つの検出スイッチ２を並べて、それぞれに設けられるシーソーノブ５または押釦ノブ６を相互に入れ替え可能な入力装置について説明する。また、本実施形態における駆動ピン３は１つの検出スイッチ２に４本設けられる。後述するように、１つの検出スイッチ２に設けられる駆動ピン３の数によって、その入力装置に最大でいくつの機能を持たせることができるか決まることになる。
【００１３】
検出スイッチ２に設けられるシーソーノブ５は、図１に示すように押圧操作されると回転軸２１を中心に左右に揺動し、下面に設けられた駆動部７によって駆動ピン３の操作を選択的に行う。一方、押釦ノブ６は、上面から押圧操作されると、下面に設けられた駆動部７によって駆動ピン３を操作する。駆動部７に同時に操作される駆動ピン３のパターンを、ピンパターンと呼ぶ。本実施形態では、操作される駆動ピン３を「１」、操作されない駆動ピン３を「０」として表記し、ピンパターンを表すことにする。シーソーノブ５の操作においては、２つの操作を選択的に行うことから、１つのシーソーノブ５には２つのピンパターンが割当てられていることになる。ピンパターンは、駆動部７の形状によって割当てられている。
【００１４】
例えば、図１においてシーソーノブ５ａは、左側に傾けるように操作すると、検出スイッチ２ａに設けられた４本の駆動ピン３のうち、一番左側の駆動ピン３のみが操作される。したがって、左側からピンパターンを表記すると、（１，０，０，０）となる。一方、シーソーノブ５ａを、右側に傾けるように操作すると、検出スイッチ２ａに設けられた４本の駆動ピン３のうち、右から２番目の駆動ピン３のみが操作される。したがって、左側からピンパターンを表記すると、（０，０，１，０）となる。すなわち、シーソーノブ５ａには、ピンパターンとして（１，０，０，０）と（０，０，１，０）の２つが割当てられていて、これらを選択的に操作することができる。同様に、図１においてシーソーノブ５ｂは、左側に傾けるように操作した際のピンパターンは（０，１，０，０）であり、右側に傾けるように操作した際のピンパターンは（０，０，０，１）であって、これらを選択的に操作することができる。
【００１５】
押釦ノブ６ａには、ピンパターンとして（１，１，０，０）が割当てられており、押圧操作によって４本の駆動ピン３のうち、左側の２本を同時に操作する。また、押釦ノブ６ｂには、ピンパターンとして（１，０，１，０）が割当てられており、押圧操作によって４本の駆動ピン３のうち、一番左の駆動ピン３と右から２番目の駆動ピン３を同時に操作する。
【００１６】
このように、シーソーノブ５ａ、５ｂにそれぞれ割当てられた各２種類のピンパターンと、押釦ノブ６ａ、６ｂにそれぞれ割当てられた各１種類のピンパターンの、合計６パターンについてそれぞれ異なるパターンを与えていることにより、いずれのピンパターンが同時に操作されているかによって、検出スイッチ２からはそれぞれ異なる検出信号を出力することになるので、それを識別すれば各シーソーノブ５または押釦ノブ６に割当てられた機能を、その配列によらず識別して実行することができる。
【００１７】
シーソーノブ５に与えるピンパターンは、シーソーノブ５が選択的に２つの操作を行うことから、駆動ピン３が配置された領域を２つに分けて、それぞれ一方に配置された駆動ピン３から選択したピンパターンを同時に操作するものである。すなわち、図１の場合では各検出スイッチ２の左半分と右半分で第１の領域と第２の領域に分かれ、シーソーノブ５を左側に傾けるように操作した場合に対応して第１の領域に配置された２本の駆動ピン３のうち１本を操作するようなピンパターンが割当てられ、シーソーノブ５を右側に傾けるように操作した場合に対応して第２の領域に配置された２本の駆動ピン３のうち１本を操作するようなピンパターンが割当てられる。一方、押釦ノブ６に与えるピンパターンは、第１の領域と第２の領域に配置された４本の駆動ピン３から選択したものである。そして、これらのピンパターンが全て異なるパターンからなっている。
【００１８】
図２は、本実施形態における入力装置をより具体的にしたものであって、シーソーノブ５や押釦ノブ６を装着する前の状態を示したものである。この図に示すように、格納ユニット９には複数の検出スイッチ２が並設され、それぞれの検出スイッチ２には４本の駆動ピン３に相当する押圧部２５が設けられている。押圧部２５は、図３に示すようにそれぞれＡ〜Ｄの記号を付して以下説明する。格納ユニット９にシーソーノブ５を装着した場合、シーソーノブ５は押圧部２５のＡ及びＢのグループか、Ｃ及びＤのグループのいずれかを選択的に操作する。すなわち、図３における検出スイッチ２の左半分と右半分でそれぞれ領域に分かれて、それぞれの領域に配置された押圧部２５をシーソーノブ５は選択的に操作することになる。ここでは、検出スイッチ２の左半分を第１の領域８ａとし、右半分を第２の領域８ｂとする。また、図４に示すように４つの検出スイッチ２のうち、２つにシーソーノブ５を装着し、残りの２つには押釦ノブ６を装着し、それぞれスイッチＳＷ−Ａ、ＳＷ−Ｂ、ＳＷ−Ｃ、ＳＷ−Ｄを構成している。
【００１９】
図５は、本実施形態における入力装置の、シーソーノブ５取付部分における断面図である。この図に示すように、この入力装置は、基板１上に基板接点１ａを設けると共に、薄板状の弾性体からなるラバー部２４を設け、ラバー部２４の基板接点１ａに対応する部分には接点２５ａを備えた押圧部２５を形成してある。また、回転軸２１によって揺動自在とされてなるシーソー部２０と、このシーソー部２０に押圧され押下されるスライダ２３が設けられる。シーソー部２０にはその下面の所定の位置に駆動部７である突部２２を複数形成しており、これら突部２２によってスライダ２３を押圧する。突部２２は、そのシーソーノブ５に割当てられたピンパターンに対応した位置に設けられてなるものである。そして、押圧部２５をシーソー部２０の操作によりスライダ２３を介して押圧することで、そのシーソーノブ５に割当てられたピンパターンに対応する基板接点１ａに接点２５ａが接触し、スイッチがオンの状態となる。
【００２０】
また、シーソーノブ５を回転軸２１を介して揺動自在に軸支すると共に、スライダ２３を保持するケース３６が設けられる。ケース３６の側面部にはリブ３５が設けられている。リブ３５は押釦ノブ６の場合にそのガイドをするものであり、シーソーノブ５を取付けた場合には機能しない。ただし、シーソーノブ５の取付時に、リブ３５のスライドガイドを利用して取付けられるようにしてもよい。さらに、ケース３６及びリブ３５の上部にはカバー３４が設けられている。カバー３４はケース３６及びリブ３５に対して開閉自在に取付けられており、使用者がシーソーノブ５を交換したいときには自由に開状態にすることができるようにされている。以上のように、シーソーノブ５の脱着及び配置変更は、ケース３６にシーソーノブ５とスライダ２３を取付けた状態で行われる。
【００２１】
図６は、本実施形態における入力装置の、押釦ノブ６取付部分における断面図である。押釦ノブ６の構成は、従来のものと同様である。押釦ノブ６の断面形状は略方形状とされ、上面は押釦部３０として突出し、側面には爪部３１を設けて上下動を規制する。また、下面には所定の位置に押圧部２５を押圧するための駆動部７である突部３２を有し、またそれ以外の押圧部２５に対応する位置には凹部３３を設けて、押釦ノブ６が操作された場合には、その押釦ノブ６に割当てられたピンパターンに対応する押圧部２５のみを押圧し、それに対応した基板接点１ａに接点２５ａが接触し、スイッチがオンの状態となる。
【００２２】
押釦ノブ６においては、シーソーノブ５と同様にリブ３５が設けられており、またその上部にはカバー３４が開閉自在に設けられている。そして、カバー３４を開状態にすることによって、押釦ノブ６の脱着及び配置変更を行う。また、押釦ノブ６の爪部３１には、リブ３５に設けられているスライドガイドと係合する係合部が設けられており、押釦動作の際にガイドされるようになっている。
【００２３】
また、図７には本実施形態における入力装置のシステム図を示す。この図のように、シーソーノブ５または押釦ノブ６の押圧操作に応じて、各スイッチはそれぞれ固有の信号を出力する。ＳＷ−ＡとＳＷ−Ｂはシーソーノブ５を装着されているため、２種類の信号を選択的に出力する。また、ＳＷ−ＣとＳＷ−Ｄは押釦ノブ６を装着されているため、１種類の信号を出力する。出力された信号は、検知手段１０によって検知され、記憶手段１３に記憶された検知信号と制御機能との関係に基づいて、機能判定手段１１によってその信号による制御機能が判定され、信号出力手段１２から出力される。記憶手段１３は、メモリーまたはハードディスク等の記憶装置から構成され、検知信号のパターンと、制御機能とを関連付けたテーブルが記憶されている。また、検知手段１０と機能判定手段１１はＣＰＵ等により構成することができる。
【００２４】
以上のように、格納ユニット９に収められる検出スイッチ２において、シーソーノブ５による各２種類のピンパターンと、押釦ノブ６による各１種類のピンパターンとを全て異なるパターンとすることにより、各ノブをどのように配置しても、その検出信号を識別することができる。また、各ノブは着脱自在でかつ相互に配置を変更可能である。すなわち、シーソーノブ５と押釦ノブ６を混在させた入力装置であっても、その配置を自由に変更することができる。
【００２５】
ところで、本実施形態では、４つの検出スイッチ２にそれぞれ４本の駆動ピン３を設けて、それぞれ異なるピンパターンを与えたが、格納ユニット９に設けることのできる検出スイッチ２の最大数は、駆動ピン３を各検出スイッチ２に何本設けるかによって決定される。以下それについて説明する。
【００２６】
表１は、４本の駆動ピン３によって各検出スイッチ２に割当てることのできるピンパターンを示している。全ての検出スイッチ２に押釦ノブ６を装着するものとすると、各押釦ノブ６は１種類の信号を出力すればよいので、表１にある１５パターンのピンパターンを押釦ノブ６に与えることができる。すなわち、検出スイッチ２の最大数は１５となる。
【００２７】
【表１】
2004327276.tif 000003
【００２８】
検出スイッチ２にシーソーノブ５と押釦ノブ６を混在させて装着する場合、シーソーノブ５は４本の駆動ピン３のうち、第１の領域に配置されたＡとＢの駆動ピン３から１本または２本選択したピンパターンと、第２の領域に配置されたＣとＤの駆動ピン３から１本または２本選択したピンパターンの２つが割当てられることになる。したがって、表１に示す１〜３のパターンのうち１つと、４〜６に示すパターンのうち１つの合計２つのピンパターンがシーソーノブ５に割当てられる。すなわち、この場合装着できるシーソーノブ５の最大数は３である。そして、押釦ノブ６に割当てられるピンパターンは、それ以外の残りのパターンである。したがって、シーソーノブ５を１つ設けた場合には、装着できる押釦ノブ６の最大数は１３であり、シーソーノブ５が２つなら最大数は１１、シーソーノブ５が３つなら最大数は９となる。
【００２９】
次に、本発明の第２の実施形態について説明する。第２の実施形態は、基本的な入力装置の構成については、第１の実施形態と同一である。第１の実施形態と異なる点は、図８に示すように基板１上の各検出スイッチ２に第１の領域８ａと第２の領域８ｂに加えて、第３の領域８ｃを設け、ここに駆動ピン３を１本設けたことである。第３の領域８ｃの駆動ピン３は、シーソーノブ５によっては操作されず、一方押釦ノブ６が押圧操作される際には必ず操作するようなピンパターンを与える。このようにすることで、検出スイッチ２からの信号がシーソーノブ５によるものか、押釦ノブ６によるものかを第３の領域８ｃの駆動ピン３からの信号の有無によって判別することができ、押釦ノブ６に対して、より多くのピンパターンを与えることができるようになる。すなわち、押釦ノブ６の最大数を大きくすることができる。
【００３０】
本実施形態の場合におけるピンパターンを表２に示す。４本の駆動ピン３によってシーソーノブ５に与えることのできるピンパターンは、表２におけるパターン１〜６であり、それぞれのシーソーノブ５に２つのピンパターンが割当てられるので、第１の実施形態と同様にその最大数は３である。一方、押釦ノブ６のピンパターンは、図８におけるＥの駆動ピン３を必ず操作するように与えられるので、表２におけるパターン７〜２１であり、その最大数は１５となる。
【００３１】
【表２】
2004327276.tif 000004
【００３２】
なお、本実施形態では、押釦ノブ６の操作時には、第３の領域８ｃに配置した駆動ピン３を必ず操作するようなピンパターンを与えているが、逆にシーソーノブ５の操作時に、第３の領域８ｃに配置した駆動ピン３を必ず操作するようにピンパターンを与え、押釦ノブ６の操作時には第３の領域８ｃに配置した駆動ピンを操作しないようなピンパターンを与えることもできる。また、装着できるシーソーノブ５の最大数を大きくしたい場合には、表２におけるパターン１〜１２の中から第１の領域８ａに配置された駆動ピン３のみから構成されるピンパターンと、第２の領域８ｂに配置された駆動ピン３のみから構成されるピンパターンの２つを与えるようにすることもできる。この場合では、シーソーノブ５の最大数は６となり、押釦ノブ６の最大数は９となる。
【００３３】
次に、本発明の第３の実施形態について説明する。本実施形態では、基本的な入力装置の構成については、第１の実施形態とほぼ同様であるが一部相違点を有する。また、各シーソーノブ５及び押釦ノブ４４の駆動部７によって操作されるピンパターンについては、第１の実施形態と同一である。したがって、相違点のみを以下説明する。本実施形態の第１の実施形態との相違点は、シーソーノブ５及び押釦ノブ４４の構成にある。図９と図１０には、本実施形態におけるシーソーノブ５及び押釦ノブ４４の取付部分における断面図を示す。
【００３４】
図９に示すように、シーソーノブ５においてケース４２とリブ４０及びカバーを設けている点においては第１の実施形態と同様である。ただし、第１の実施形態と異なり、リブ４０にプランジャ４１を設けており、ケース４２にはプランジャ４１と係合する係合部４３が設けられている。プランジャ４１は、シーソーノブ５を使用者が脱着しようとすると、リブ４０により押下され、係合部４３とプランジャ４１が係合する際にはバネの復元力により復帰し、係合するようになっている。したがって、カバーを開閉することなくシーソーノブ５を脱着することができるようになる。
【００３５】
図１０に示すように、押釦ノブ４４においては、リブ４０のプランジャ４１と係合するのは、押釦部４５の爪部３１の側面に逃げ部４７を形成するように設けられた係合部４６である。逃げ部４７は、押釦部４５が押圧操作された際に、プランジャ４１の突出部からの逃げとなり、押圧操作した際にプランジャ４１と押釦部４５との係合が保持されたままになるようにしている。このように構成したことにより、押釦ノブ４４もカバーの開閉を行うことなく、脱着することができる。
【００３６】
以上、本発明の実施形態について説明したが、本発明の適用は上記実施形態に限られるものではなく、その技術的思想の範囲において様々に適用されうるものである。例えば、第１及び第２の実施形態においては、駆動ピン３は４本または５本として説明したが、駆動ピン３の本数には特に制限はなく、第１の領域８ａと第２の領域８ｂにそれぞれ駆動ピン３を設けてあればよい。また、検出スイッチ２に設けるシーソーノブ５や押釦ノブ６については、上記の構成に限られず、押圧操作した際に所定のピンパターンを操作できるように構成されていれば、様々な形態のノブを適用することができる。
【００３７】
また、各ノブに割当てる機能は、様々に設定することができる。本実施形態に係る入力装置を自動車のインストルメントパネルに用いた場合、押釦ノブ６には、ラジオの操作において特定の周波数に合わせるためのショートカットキーとしての機能や、ステアリングヒーターのスイッチ、さらにはエアコンの制御で特定の温度に設定するキーとするなどの機能を持たせることができる。したがって、本発明によれば、冬場にはステアリングヒーターのスイッチを設けておき、夏場にはエアコンの温度設定キーと入れ替えることが可能である。また、シーソーノブ５には、エアコンの温度設定の上げ下げの機能や、ラジオの選局の送りの機能、及びカセットデッキにおけるカセットの送りや戻りの機能を持たせることができる。これらは押釦ノブ６も含めて相互に交換可能であり、インストルメントパネルに並ぶスイッチの操作性を最適化することができる。さらに、本発明の適用は自動車のインストルメントパネルに限られず、複数のスイッチにそれぞれ制御指示の機能を持たせるものであれば、適用することが可能である。
【００３８】
【発明の効果】
以上のように、本発明に係る入力装置によれば、シーソーノブの駆動部は基板上の２つの領域のうち一方に配置された駆動ピンから選択したピンパターンと、他方に配置された駆動ピンから選択したピンパターンとを選択的に操作し、押釦ノブの駆動部は基板上の２つの領域に配置された駆動ピンから選択したピンパターンを操作し、これらのピンパターンは全て異なるパターンからなっていることにより、シーソーノブと押釦ノブを混在させても、各検出スイッチからの出力信号を識別することができて、各ノブに割当てられた制御機能を実行することができる。すなわち、複数のスイッチの配置を変更することのできる入力装置において、押釦スイッチとシーソースイッチを混在させることができる。
【００３９】
また、本発明に係る入力装置によれば、駆動ピンを第１の領域と第２の領域に加えて第３の領域にも配置し、第３の領域の駆動ピンは押釦ノブの操作時には必ず操作されるように、またはシーソーノブの操作時には必ず操作されるようにピンパターンを設定することにより、より多くのノブを配置することができる。
【図面の簡単な説明】
【図１】本実施形態における入力装置の模式図である。
【図２】本実施形態における入力装置のノブ取付前における正面図である。
【図３】本実施形態における検出スイッチの拡大図である。
【図４】本実施形態における入力装置のノブ取付後における正面図である。
【図５】本実施形態における入力装置の、シーソーノブ取付部分における断面図である。
【図６】本実施形態における入力装置の、押釦ノブ取付部分における断面図である。
【図７】本実施形態における入力装置のシステム図である。
【図８】第２の実施形態における検出スイッチの拡大図である。
【図９】第３の実施形態におけるシーソーノブ取付部分における断面図である。
【図１０】第３の実施形態における押釦ノブ取付部分における断面図である。
【符号の説明】
１      基板
２      検出スイッチ
３      駆動ピン
５      シーソーノブ
６      押釦ノブ
７      駆動部
９      格納ユニット
２０      シーソー部
２２      突部
２５      押圧部
３０      押釦部
３２      突部
【図１】
2004327276.tif 000005
【図２】
2004327276.tif 000006
【図３】
2004327276.tif 000007
【図４】
2004327276.tif 000008
【図５】
2004327276.tif 000009
【図６】
2004327276.tif 000010
【図７】
2004327276.tif 000011
【図８】
2004327276.tif 000012
【図９】
2004327276.tif 000013
【図１０】
2004327276.tif 000014